(57)【要約】【課題】  カラー画像の特徴を損なうことなく簡便に、カラー画像をモノクローム画像化すること。【解決手段】ＣＰＵ１１１は、設定された撮影場面を用いてＲＧＢチャンネルミックス率を含むモノクローム出力画像処理条件をＲＯＭ１１３から取得する。撮像場面設定指示が入力されない場合には、ＣＰＵ１１１は、カラー画像データを解析してＲＧＢチャンネルミックス率を含むモノクローム出力画像処理条件を生成する。ＣＰＵ１１１は、取得または設定されたモノクローム出力画像処理条件を用いて画像処理制御情報を生成し、生成した画像処理制御情報をカラー画像データに関連付け、出力する。【選択図】  図２
2005295508.tif 000002
【特許請求の範囲】
【請求項１】
カラー画像データを生成するカラー画像データ生成装置であって、
カラー画像データを生成するカラー画像データ生成手段と、
前記生成されたカラー画像データに対する画像処理条件を規定する画像処理制御情報であって、前記生成されたカラー画像データをモノクローム画像として出力するためのモノクローム出力画像処理条件を含む画像処理制御情報を取得する画像処理制御情報取得手段と、
前記取得された画像処理制御情報と前記生成されたカラー画像データとを関連付けて出力するカラー画像データ出力手段とを備えるカラー画像データ生成装置。
【請求項２】
請求項１に記載のカラー画像データ生成装置において、
前記モノクローム出力画像処理条件には、カラー画像からモノクローム画像を得るための、ＲＧＢカラー画像データにおけるＲ成分、Ｇ成分、Ｂ成分の割合を指定するＲＧＢチャンネルミックス率が含まれているカラー画像データ生成装置。
【請求項３】
請求項２に記載のカラー画像データ生成装置はさらに、
前記カラー画像データを解析して前記ＲＧＢチャンネルミックス率を設定するＲＧＢチャンネルミックス率設定手段と、
前記設定されたＲＧＢチャンネルミックス率を含む画像処理制御情報を生成する画像処理制御情報生成手段とを備え、
前記画像処理制御情報取得手段は、前記生成された画像処理制御情報を取得するカラー画像データ生成装置。
【請求項４】
請求項２に記載のカラー画像データ生成装置はさらに、
前記カラー画像データ生成時における生成条件に応じた複数のＲＧＢチャンネルミックス率を格納する記憶手段と、
前記記憶手段から、前記生成条件に応じたＲＧＢチャンネルミックス率を取得するＲＧＢチャンネルミックス率取得手段と、
前記取得されたＲＧＢチャンネルミックス率を含む画像処理制御情報を生成する画像処理制御情報生成手段とを備え、
前記画像処理制御情報取得手段は、前記生成された画像処理制御情報を取得するカラー画像データ生成装置。
【請求項５】
請求項２ないし請求項４のいずれかに記載のカラー画像データ生成装置において、
前記モノクロ出力画像処理条件にはさらに、カラー画像からモノクローム画像を得るために適切な、明るさ、コントラスト、カラーバランス、ノイズ除去、シャープネスについての条件を含むカラー画像データ生成装置。
【請求項６】
カラー画像データを生成する撮像装置であって、
カラー画像データを生成するカラー画像データ生成手段と、
前記生成されたカラー画像データに対する画像処理条件を規定する画像処理制御情報であって、カラー画像からモノクローム画像を得るための、ＲＧＢカラー画像データにおけるＲ成分、Ｇ成分、Ｂ成分の割合を指定するＲＧＢチャンネルミックス率を含む画像処理制御情報を取得する画像処理制御情報取得手段と、
前記取得された画像処理制御情報と前記生成されたカラー画像データとを関連付けて出力する画像データ出力手段とを備える撮像装置。
【請求項７】
請求項６に記載の撮像装置はさらに、
撮像時における撮像場面を設定する撮像場面設定手段と、
撮像場面を利用して前記ＲＧＢチャンネルミックス率を設定するＲＧＢチャンネルミックス率設定手段と、
前記設定されたＲＧＢチャンネルミックス率を含む画像処理制御情報を生成する画像処理制御情報生成手段とを備え、
前記画像処理制御情報取得手段は、前記生成された画像処理制御情報を取得する撮像装置。
【請求項８】
請求項６に記載の撮像装置はさらに、
撮像時における撮像場面を設定する撮像場面設定手段と、
撮像場面に応じた複数のＲＧＢチャンネルミックス率を格納する記憶手段と、
前記記憶手段から、前記設定された撮像場面に応じたＲＧＢチャンネルミックス率を取得するＲＧＢチャンネルミックス率取得手段と、
前記取得されたＲＧＢチャンネルミックス率を含む画像処理制御情報を生成する画像処理制御情報生成手段とを備え、
前記画像処理制御情報取得手段は、前記生成された画像処理制御情報を取得する撮像装置。
【請求項９】
請求項６ないし請求項８のいずれかに記載の撮像装置において、
前記画像処理制御情報にはさらに、カラー画像からモノクローム画像を得るために適切な、明るさ、コントラスト、カラーバランス、ノイズ除去、シャープネスについての条件を含む画像データ生成装置。
【請求項１０】
画像データに対して画像処理を実行する画像処理装置であって、
カラー画像データを取得するカラー画像データ取得手段と、
前記カラー画像データに関連付けられた、画像データに対する画像処理条件を規定する画像処理制御情報であって、カラー画像データをモノクローム画像として出力するためのモノクローム出力画像処理条件を含む画像処理制御情報を取得する画像処理制御情報取得手段と、
前記取得したモノクローム出力画像処理条件を用いて、前記カラー画像データをモノクローム画像データに変換する画像データ変換手段とを備える画像処理装置。
【請求項１１】
請求項１０に記載の画像処理装置はさらに、
前記取得した画像処理制御情報によって規定される画像処理条件に従って、前記モノクローム画像データに対する画質調整を実行する画質調整手段を備える画像処理装置。
【請求項１２】
請求項１０または請求項１１に記載の画像処理装置において、
前記モノクローム出力画像処理条件には、カラー画像からモノクローム画像を得るための、ＲＧＢカラー画像データにおけるＲ成分、Ｇ成分、Ｂ成分の割合を指定するＲＧＢチャンネルミックス率が含まれている画像処理装置。
【請求項１３】
画像データに対して画像処理を実行する画像処理装置であって、
カラー画像データを取得する画像データ取得手段と、
前記カラー画像データに関連付けられた、画像データ生成時における撮像場面に関する情報である撮像場面情報を取得する撮像場面情報取得手段と、
撮像場面と対応付けられた複数のモノクローム出力画像処理条件を格納する記憶手段と、
前記記憶手段から、前記取得した撮像場面に応じたモノクローム出力画像処理条件を取得するモノクローム出力画像処理条件取得手段と、
前記取得したモノクローム出力画像処理条件を用いて、前記カラー画像データをモノクロ画像データに変換する画像データ変換手段とを備える画像処理装置。
【請求項１４】
請求項１３に記載の画像処理装置において、
前記モノクローム出力画像処理条件には、カラー画像からモノクローム画像を得るための、ＲＧＢカラー画像データにおけるＲ成分、Ｇ成分、Ｂ成分の割合を指定するＲＧＢチャンネルミックス率が含まれている画像処理装置。
【請求項１５】
請求項１０ないし請求項１３のいずれかに記載の画像処理装置において、
前記モノクローム出力画像処理条件にはさらに、カラー画像からモノクローム画像を得るために適切な、明るさ、コントラスト、カラーバランス、ノイズ除去、シャープネスについての条件が含まれる画像処理装置。
【請求項１６】
画像データに対する画像処理条件を規定する画像処理制御情報と関連付けられたカラー画像データの生成方法であって、
カラー画像データを生成し、
前記生成したカラー画像データをモノクローム画像として出力するためのモノクローム出力画像処理条件を含む前記画像処理制御情報を取得し、
前記取得した画像処理制御情報と前記生成したカラー画像データとを関連付けて出力する画像生成方法。
【請求項１７】
画像データに対する画像処理条件を規定する画像処理制御情報と関連付けられたカラー画像データの生成方法であって、
カラー画像データを生成するカラー画像データ生成手段と、
カラー画像からモノクローム画像を得るための、ＲＧＢカラー画像データにおけるＲ成分、Ｇ成分、Ｂ成分の割合を指定するＲＧＢチャンネルミックス率を含む画像処理制御情報を取得し、
前記取得した画像処理制御情報と前記生成したカラー画像データとを関連付けて出力する画像生成方法。
【請求項１８】
画像データに対して画像処理を実行する画像処理方法であって、
カラー画像データを取得し、
前記カラー画像データに関連付けられた、画像データに対する画像処理条件を規定する画像処理制御情報であって、カラー画像データをモノクローム画像として出力するためのモノクローム出力画像処理条件を含む画像処理制御情報を取得し、
前記取得したモノクローム出力画像処理条件を用いて、前記カラー画像データをモノクローム画像データに変換する画像処理方法。
【請求項１９】
画像データに対して画像処理を実行する画像処理方法であって、
カラー画像データを取得し、
前記カラー画像データに関連付けられた、画像データ生成時における撮像場面に関する情報である撮像場面情報を取得し、
撮像場面と対応付けられた複数のモノクローム出力画像処理条件を格納する記憶手段から、前記取得した撮像場面に応じたモノクローム出力画像処理条件を取得し、
前記取得したモノクローム出力画像処理条件を用いて、前記カラー画像データをモノクロ画像データに変換する画像処理方法。
【発明の詳細な説明】
【技術分野】
【０００１】
本発明は、画像処理に関する情報を関連付けた画像データを生成する技術、関連付けられた画像処理に関する情報を用いた画像データに対する画像処理を実行する技術に関する。
【背景技術】
【０００２】
銀塩カメラにおいては、モノクロフィルムを使用し、更に撮影シーンに適したフィルターを使用することによって、撮影シーンの特徴を表したモノクローム画像を得ることができる。
【０００３】
これに対して、ディジタルスチルカメラでは、フィルムに相当するＣＣＤにカラーフィルタが付されているため、得られる画像は必ずカラー画像となり、モノクローム画像を直接得ることはできない。したがって、ディジタルスチルカメラによって得られたカラー画像からモノクローム画像を得るためには、モノクローム画像化処理が必要となる（例えば、特許文献１参照）。
【０００４】
【特許文献１】特開２０００−１０５８２０号公報
【発明の開示】
【発明が解決しようとする課題】
【０００５】
しかしながら、一律にＲ、Ｇ、Ｂ成分を所定値に変更する従来のモノクローム画像化処理では、撮影シーンの特徴をうまく表現したモノクローム画像を得ることができなかった。また、適切なモノクローム画像化処理を実行するためには、ユーザは試行錯誤によってモノクローム画像化を実行する必要があった。
【０００６】
本発明は、上記課題を解決するためになされたものであり、カラー画像の特徴を損なうことなく簡便に、カラー画像をモノクローム画像化することを目的とする。
【課題を解決するための手段】
【０００７】
上記課題を解決するために本発明の第１の態様は、カラー画像データを生成するカラー画像データ生成装置を提供する。本発明の第１の態様に係る画像データ生成装置は、カラー画像データを生成するカラー画像データ生成手段と、前記生成されたカラー画像データに対する画像処理条件を規定する画像処理制御情報であって、前記生成されたカラー画像データをモノクローム画像として出力するためのモノクローム出力画像処理条件を含む画像処理制御情報を取得する画像処理制御情報取得手段と、前記取得された画像処理制御情報と前記生成されたカラー画像データとを関連付けて出力するカラー画像データ出力手段とを備えることを特徴とする。
【０００８】
本発明の第１の態様に係るカラー画像データ生成装置によれば、生成されたカラー画像データに対する画像処理条件を規定する画像処理制御情報であって、生成されたカラー画像データをモノクローム画像として出力するためのモノクローム出力画像処理条件を含む画像処理制御情報を取得し、生成されたカラー画像データとを関連付けて出力することができる。したがって、カラー画像の特徴を損なうことなく簡便に、カラー画像をモノクローム画像化することを可能にするカラー画像データを生成することができる。
【０００９】
本発明の第１の態様に係るカラー画像データ生成装置において、前記モノクローム出力画像処理条件には、カラー画像からモノクローム画像を得るための、ＲＧＢカラー画像データにおけるＲ成分、Ｇ成分、Ｂ成分の割合を指定するＲＧＢチャンネルミックス率が含まれていても良い。かかる場合には、生成されたカラー画像データにおいて意図された色域を強調したモノクローム画像の出力を可能にするカラー画像データを生成することができる。
【００１０】
本発明の第１の態様に係るカラー画像データ生成装置はさらに、前記カラー画像データを解析して前記ＲＧＢチャンネルミックス率を設定するＲＧＢチャンネルミックス率設定手段と、前記設定されたＲＧＢチャンネルミックス率を含む画像処理制御情報を生成する画像処理制御情報生成手段とを備え、前記画像処理制御情報取得手段は、前記生成された画像処理制御情報を取得しても良い。かかる場合には、個々のカラー画像データ毎に、撮像画像において意図された色域を強調したモノクローム画像の出力を可能にするカラー画像データを生成することができる。
【００１１】
本発明の第１の態様に係るカラー画像データ生成装置はさらに、前記カラー画像データ生成時における生成条件に応じた複数のＲＧＢチャンネルミックス率を格納する記憶手段と、前記記憶手段から、前記生成条件に応じたＲＧＢチャンネルミックス率を取得するＲＧＢチャンネルミックス率取得手段と、前記取得されたＲＧＢチャンネルミックス率を含む画像処理制御情報を生成する画像処理制御情報生成手段とを備え、前記画像処理制御情報取得手段は、前記生成された画像処理制御情報を取得しても良い。かかる場合には、個々のカラー画像データの生成条件に応じて、特定の色域を強調したモノクローム画像の出力を可能にするカラー画像データを生成することができる。
【００１２】
本発明の第１の態様に係るカラー画像データ生成装置において、前記モノクロ出力画像処理条件にはさらに、カラー画像からモノクローム画像を得るために適切な、明るさ、コントラスト、カラーバランス、ノイズ除去、シャープネスについての条件を含んでも良い。かかる場合には、モノクローム出力画像の画質をさらに向上させることができる。
【００１３】
本発明の第２の態様は、カラー画像データを生成する撮像装置を提供する。本発明の第２の態様に係る撮像装置は、カラー画像データを生成するカラー画像データ生成手段と、前記生成されたカラー画像データに対する画像処理条件を規定する画像処理制御情報であって、カラー画像からモノクローム画像を得るための、ＲＧＢカラー画像データにおけるＲ成分、Ｇ成分、Ｂ成分の割合を指定するＲＧＢチャンネルミックス率を含む画像処理制御情報を取得する画像処理制御情報取得手段と、前記取得された画像処理制御情報と前記生成されたカラー画像データとを関連付けて出力する画像データ出力手段とを備えることを特徴とする。
【００１４】
本発明の第２の態様に係る撮像装置は、生成されたカラー画像データに対する画像処理条件を規定する画像処理制御情報であって、カラー画像からモノクローム画像を得るための、ＲＧＢカラー画像データにおけるＲ成分、Ｇ成分、Ｂ成分の割合を指定するＲＧＢチャンネルミックス率を含む画像処理制御情報を取得し、カラー画像データに関連付けて出力することができる。したがって、撮像画像の特徴を損なうことなく簡便に、カラー画像をモノクローム画像化することを可能にするカラー画像データを生成することができる。
【００１５】
本発明の第２の態様に係る撮像装置はさらに、撮像時における撮像場面を設定する撮像場面設定手段と、撮像場面を利用して前記ＲＧＢチャンネルミックス率を設定するＲＧＢチャンネルミックス率設定手段と、前記設定されたＲＧＢチャンネルミックス率を含む画像処理制御情報を生成する画像処理制御情報生成手段とを備え、前記画像処理制御情報取得手段は、前記生成された画像処理制御情報を取得しても良い。かかる場合には、生成されたカラー画像データにおいて意図された色域を強調したモノクローム画像の出力を可能にするカラー画像データを生成することができる。
【００１６】
本発明の第２の態様に係る撮像装置はさらに、撮像時における撮像場面を設定する撮像場面設定手段と、撮像場面に応じた複数のＲＧＢチャンネルミックス率を格納する記憶手段と、前記記憶手段から、前記設定された撮像場面に応じたＲＧＢチャンネルミックス率を取得するＲＧＢチャンネルミックス率取得手段と、前記取得されたＲＧＢチャンネルミックス率を含む画像処理制御情報を生成する画像処理制御情報生成手段とを備え、前記画像処理制御情報取得手段は、前記生成された画像処理制御情報を取得しても良い。かかる場合には、個々のカラー画像データの撮像場面に応じて、特定の色域を強調したモノクローム画像の出力を可能にするカラー画像データを生成することができる。
【００１７】
本発明の第２の態様に係る撮像装置において、前記画像処理制御情報にはさらに、カラー画像からモノクローム画像を得るために適切な、明るさ、コントラスト、カラーバランス、ノイズ除去、シャープネスについての条件を含んでも良い。かかる場合には、モノクローム出力画像の画質をさらに向上させることができる。
【００１８】
本発明の第３の態様は、画像データに対して画像処理を実行する画像処理装置を提供する。本発明の第３の態様に係る画像処理装置は、カラー画像データを取得するカラー画像データ取得手段と、前記カラー画像データに関連付けられた、画像データに対する画像処理条件を規定する画像処理制御情報であって、カラー画像データをモノクローム画像として出力するためのモノクローム出力画像処理条件を含む画像処理制御情報を取得する画像処理制御情報取得手段と、前記取得したモノクローム出力画像処理条件を用いて、前記カラー画像データをモノクローム画像データに変換する画像データ変換手段とを備えることを特徴とする。
【００１９】
本発明の第３の態様に係る画像処理装置は、カラー画像データに関連付けられた、画像データに対する画像処理条件を規定する画像処理制御情報であって、カラー画像データをモノクローム画像として出力するためのモノクローム出力画像処理条件を含む画像処理制御情報を取得し、取得したモノクローム出力画像処理条件を用いて、カラー画像データをモノクローム画像データに変換することができる。したがって、カラー画像の特徴を損なうことなく簡便に、カラー画像をモノクローム画像化することができる。
【００２０】
本発明の第３の態様に係る画像処理装置はさらに、前記取得した画像処理制御情報によって規定される画像処理条件に従って、前記モノクローム画像データに対する画質調整を実行する画質調整手段を備えても良い。かかる場合には、モノクローム出力画像の画質をさらに向上させることができる。
【００２１】
本発明の第３の態様に係る画像処理装置において、前記モノクローム出力画像処理条件には、カラー画像からモノクローム画像を得るための、ＲＧＢカラー画像データにおけるＲ成分、Ｇ成分、Ｂ成分の割合を指定するＲＧＢチャンネルミックス率が含まれていても良い。かかる場合には、カラー画像データにおいて意図された色域を強調したモノクローム画像データを出力することができる。また、本発明の第３の態様に係る画像処理装置は、画像データに基づき画像を出力する画像出力手段を備えていても良く、かかる場合には、カラー画像データにおいて意図された色域を強調したモノクローム画像を出力することができる。
【００２２】
本発明の第４の態様は、画像データに対して画像処理を実行する画像処理装置を提供する。本発明の第４の態様に係る画像処理装置は、カラー画像データを取得する画像データ取得手段と、前記カラー画像データに関連付けられた、画像データ生成時における撮像場面に関する情報である撮像場面情報を取得する撮像場面情報取得手段と、撮像場面と対応付けられた複数のモノクローム出力画像処理条件を格納する記憶手段と、前記記憶手段から、前記取得した撮像場面に応じたモノクローム出力画像処理条件を取得するモノクローム出力画像処理条件取得手段と、前記取得したモノクローム出力画像処理条件を用いて、前記カラー画像データをモノクロ画像データに変換する画像データ変換手段とを備えることを特徴とする。
【００２３】
本発明の第４の態様に係る画像処理装置は、本発明の第３の態様に係る画像処理装置と同様にして種々の態様にて実現され得る。
【００２４】
本発明の第５の態様は、画像データに対する画像処理条件を規定する画像処理制御情報と関連付けられたカラー画像データの生成方法を提供する。本発明の第５の態様に係るカラー画像データの生成方法は、カラー画像データを生成し、前記生成したカラー画像データをモノクローム画像として出力するためのモノクローム出力画像処理条件を含む前記画像処理制御情報を取得し、前記取得した画像処理制御情報と前記生成したカラー画像データとを関連付けて出力することを特徴とする。
【００２５】
本発明の第５の態様に係るカラー画像データの生成方法によれば、本発明の第１の態様に係るカラー画像データ生成装置と同様の作用効果を得ることができると共に、本発明の第５の態様に係るカラー画像データの生成方法は、本発明の第１の態様に係るカラー画像データ生成装置と同様にして種々の態様にて実現され得る。
【００２６】
本発明の第６の態様は、画像データに対する画像処理条件を規定する画像処理制御情報と関連付けられたカラー画像データの生成方法を提供する。本発明の第６の態様に係るカラー画像データの生成方法は、カラー画像データを生成するカラー画像データ生成手段と、カラー画像からモノクローム画像を得るための、ＲＧＢカラー画像データにおけるＲ成分、Ｇ成分、Ｂ成分の割合を指定するＲＧＢチャンネルミックス率を含む画像処理制御情報を取得し、前記取得した画像処理制御情報と前記生成したカラー画像データとを関連付けて出力することを特徴とする。
【００２７】
本発明の第６の態様に係るカラー画像データの生成方法によれば、本発明の第２の態様に係るカラー画像データ生成装置と同様の作用効果を得ることができると共に、本発明の第６の態様に係るカラー画像データの生成方法は、本発明の第２の態様に係るカラー画像データ生成装置と同様にして種々の態様にて実現され得る。
【００２８】
本発明の第７の態様は、画像データに対して画像処理を実行する画像処理方法を提供する。本発明の第７の態様に係る画像処理方法は、カラー画像データを取得し、前記カラー画像データに関連付けられた、画像データに対する画像処理条件を規定する画像処理制御情報であって、カラー画像データをモノクローム画像として出力するためのモノクローム出力画像処理条件を含む画像処理制御情報を取得し、前記取得したモノクローム出力画像処理条件を用いて、前記カラー画像データをモノクローム画像データに変換することを特徴とする。
【００２９】
本発明の第７の態様に係る画像処理方法によれば、本発明の第３の態様に係る画像処理装置と同様の作用効果を得ることができると共に、本発明の第７の態様に係る画像処理方法は、本発明の第３の態様に係る画像処理装置と同様にして種々の態様にて実現され得る。
【００３０】
本発明の第８の態様は、画像データに対して画像処理を実行する画像処理方法を提供する。本発明の第８の態様に係る画像処理方法は、カラー画像データを取得し、前記カラー画像データに関連付けられた、画像データ生成時における撮像場面に関する情報である撮像場面情報を取得し、撮像場面と対応付けられた複数のモノクローム出力画像処理条件を格納する記憶手段から、前記取得した撮像場面に応じたモノクローム出力画像処理条件を取得し、前記取得したモノクローム出力画像処理条件を用いて、前記カラー画像データをモノクロ画像データに変換することを特徴とする。
【００３１】
本発明の第８の態様に係る画像処理方法によれば、本発明の第４の態様に係る画像処理装置と同様の作用効果を得ることができると共に、本発明の第８の態様に係る画像処理方法は、本発明の第４の態様に係る画像処理装置と同様にして種々の態様にて実現され得る。
【００３２】
本発明の第５ないし第８の態様に係る方法は、この他にも、プログラム、およびプログラムを記録したコンピュータが読み取り可能な記録媒体としても実現され得る。
【発明を実施するための最良の形態】
【００３３】
以下、本発明に係るカラー画像データ生成装置、カラー画像データ生成方法、画像処理装置、および画像処理方法について図面を参照しつつ、実施例に基づいて説明する。
【００３４】
図１〜図３を参照して本実施例に係る画像データ生成装置、画像処理装置を含む画像処理システムについて説明する。図１は本実施例に係る画像データ生成装置および画像処理装置を含む画像処理システムの概略構成を示す説明図である。図２は本実施例に係る画像データ生成装置の概略構成を示す説明図である。図３は本実施例に係る画像処理装置の概略構成を示す説明図である。
【００３５】
画像処理システムは、カラー画像データ生成装置としてのディジタルスチルカメラ１０、カラー画像データを含む画像データＧＤに関連付けられた画像処理制御情報ＧＩを用いて画像データＧＤに対する画像処理を実行する画像処理装置としての表示装置２０、パーソナルコンピュータ３０、カラープリンタ４０を備えている。
【００３６】
ディジタルスチルカメラ１０は、光の情報をディジタルデバイス（ＣＣＤや光電子倍増管といった光電変換素子）に結像させることによりディジタル画像データを取得（生成）するカメラである。ディジタルスチルカメラ１０は、図２に示すように、制御回路１１、入出力操作部１２、カラー画像データ生成部１３、メモリカードスロット１４、データ入出力部１５を備えている。
【００３７】
制御回路１１は、カラー画像データの生成処理、解析処理等の各種演算処理を実行する中央演算装置（ＣＰＵ）１１１、生成されたカラー画像データ、演算結果等の各種データを一時的に格納するランダムアクセスメモリ（ＲＡＭ）１１２、ＣＰＵ１１１によって実行されるプログラム、ＲＧＢチャンネルミックス率を始めとするモノクローム画像処理条件のテーブル等を格納するリードオンリメモリ（ＲＯＭ）１１３を備えている。
【００３８】
入力操作部１２は、外部からの入力を受け付けるインターフェース部であり、例えば、キー操作部、スクロール操作部、タッチパネル式操作部として実現される。
【００３９】
カラー画像データ生成生成部１３は、例えば、各構成画素に対してＲ、Ｇ、Ｂの各フィルタが所定の規則に従って配置されたＣＣＤを備え、被写体に対応したディジタルカラー画像データを生成する。より具体的には、Ｒフィルタを有する画素においては、Ｒ成分の画素データを直接取得する他、周囲の画素データを基にしてＧ成分、Ｂ成分の画素データを補間演算によって生成する。生成されたカラー画像データは、記憶装置としてのメモリカードＭＣに保存される。ディジタルスチルカメラ１０におけるカラー画像データの保存形式としては、非可逆圧縮保存方式としてＪＰＥＧデータ形式、可逆圧縮保存方式としてＴＩＦＦデータ形式が一般的であるが、この他にもＲＡＷデータ形式、ＧＩＦデータ形式、ＢＭＰデータ形式等の保存形式が用いられ得る。
【００４０】
メモリカードスロット１４は、各種メモリカードを装填するための装填部であり、メモリカードスロット１４に装填されたメモリカードに対する読み出しまたは書き込みは、制御回路１１によって実行される。
【００４１】
データ入出力部１５は、接続ケーブルＣＶ等が接続される端子、信号変換処理機能を有し、外部器機との間で画像データをやりとりするために用いられる。
【００４２】
表示装置２０は、画像を表示するための表示ディスプレイ２１を有する、例えば、電子式の写真フレームとして機能する表示装置であり、スタンドアローンにて後述するカラープリンタ４０における画像処理と同等の画像処理をカラー画像データに対して実行し、出力画像を表示する。表示装置２０は、例えば、記憶媒体、赤外線通信および電波式通信といった無線通信を介して、あるいは、ケーブルを介してディジタルスチルカメラ１０、ネットワーク上のサーバ（図示しない）からカラー画像データを取得する。表示ディスプレイ２１は、例えば、液晶表示ディスプレイ、有機ＥＬ表示ディスプレイであり、各表示ディスプレイパネル毎に独自の画像出力特性を有する。
【００４３】
パーソナルコンピュータ３０は、一般的に用いられているタイプのコンピュータであり、ＣＰＵ、ＲＡＭ、ハードディスク等を備えて、後述するカラープリンタ４０における画像処理と同等の画像処理を実行する。パーソナルコンピュータ３０は、この他にも、メモリカードＭＣを装着するためのメモリカードスロット、ディジタルスチルカメラ１０等からの接続ケーブルを接続するための入出力端子を備えている。
【００４４】
カラープリンタ４０は、カラー画像の出力が可能なプリンタであり、本実施例では、スタンドアローンにて、モノクローム画像処理を実行して、モノクローム画像を出力する。カラープリンタ４０は、図３に示すように、制御回路４１、入出力操作部４２、印刷画像出力部４３、メモリカードスロット４４、データ入出力部４５を備えている。
【００４５】
制御回路４１は、カラー画像データに対する画像処理、解析処理等の各種演算処理を実行する中央演算装置（ＣＰＵ）４１１、画像処理が施されたカラー画像データ、演算結果等の各種データを一時的に格納するランダムアクセスメモリ（ＲＡＭ）４１２、ＣＰＵ１１１によって実行されるプログラム、撮影シーンに対応するモノクローム画像処理条件の各パラメータを示すテーブル等を格納するリードオンリメモリ（ＲＯＭ）４１３を備えている。
【００４６】
入力操作部４２は、外部からの入力を受け付けるインターフェース部であり、例えば、キー操作部、スクロール操作部、タッチパネル式操作部として実現される。
【００４７】
印刷画像出力部４３は、制御回路４１から出力される印刷用画像データに基づいて、例えば、シアン（Ｃ）、マゼンタ（Ｍ）、イエロー（Ｙ）、ブラック（Ｋ）の４色の色インクを印刷媒体上に噴射してドットパターンを形成することによって画像を形成するインクジェット方式の印刷画像出力部である。あるいは、カラートナーを印刷媒体上に転写・定着させて画像を形成する電子写真方式の印刷画像出力部である。色インクには、上記４色に加えて、ライトシアン（薄いシアン、ＬＣ）、ライトマゼンタ（薄いマゼンタ、ＬＭ）、ブルー、レッドを用いても良い。
【００４８】
メモリカードスロット４４は、各種メモリカードを装填するための装填部であり、メモリカードスロット１４に装填されたメモリカードに対する読み出しまたは書き込みは、制御回路４１によって実行される。
【００４９】
データ入出力部４５は、接続ケーブルＣＶ等が接続される端子、信号変換処理機能を有し、外部器機との間で画像データをやりとりするために用いられる。
【００５０】
図４を参照してディジタルスチルカメラ１０が備える制御回路１１によって実現されるモジュールの概略について説明する。図４は本実施例に係るディジタルスチルカメラ１０が備える制御回路１１によって実現される機能モジュールのブロック図である。なお、図４に示す各モジュールは、ＣＰＵ単独で、あるいは制御回路１１として実現され、また、ハードウェア、ソフトウェアのいずれによっても実現され得る。
【００５１】
生成されたカラー画像データは、カラー画像データ取得モジュールＭ１によって制御回路１１に取得され、ＲＧＢチャンネルミックス率設定モジュールＭ４または画像処理制御情報関連付けモジュールＭ７に送られる。
【００５２】
撮像場面設定モジュールＭ２は、入力操作部１２を介して入力された撮像場面設定指示にしたがって、撮像場面、例えば、ポートレイト、風景、夕景といった撮影シーン、を設定する。ＲＧＢチャンネルミックス率取得モジュールＭ３は、設定された撮影シーンを用いてＲＧＢチャンネルミックス率を含むモノクローム出力画像処理条件を記憶装置から取得する。
【００５３】
撮像場面設定指示が入力されない場合には、ＲＧＢチャンネルミックス率設定モジュールＭ４によって、ＲＧＢチャンネルミックス率を含むモノクローム出力画像処理条件が生成（設定）される。ＲＧＢチャンネルミックス率設定モジュールＭ４は、取得したカラー画像データを解析し得られた色相等の情報を用いて、取得したカラー画像データに適したモノクローム出力画像処理条件を設定する。
【００５４】
画像処理制御情報生成モジュールＭ５は、取得または設定されたモノクローム出力画像処理条件を用いて画像処理制御情報を生成し、画像処理制御情報取得モジュールＭ６は、生成された画像処理制御情報を取得して、画像処理制御情報関連付けモジュールＭ７に送る。なお、モノクローム出力画像処理条件を含む画像処理制御情報は、撮像場面に応じて予め記憶装置に格納されいても良く、かかる場合には、画像処理制御情報取得モジュールＭ６は、撮像場面に応じて画像処理制御情報を取得する。
【００５５】
画像処理制御情報関連付けモジュールＭ７は、取得された画像処理制御情報をカラー画像データに関連付ける。関連付けは、例えば、カラー画像データのヘッダ領域に画像処理制御情報を書き込む、カラー画像データと画像処理制御情報とを関連付ける情報を格納した関連付けファイルを生成することによって実現される。カラー画像データ出力モジュールＭ８は、画像処理制御情報が関連付けられたカラー画像データをメモリカードまたは接続ケーブルへと出力する。
【００５６】
図５〜図１２を参照して、本実施例に係るカラー画像データ生成装置としてのディジタルスチルカメラ１０において実行されるカラー画像データ生成処理について説明する。図５は本実施例に係るディジタルスチルカメラにおいて実行されるカラー画像データ生成処理の全体処理ルーチンを示すフローチャートである。図６は本実施例に係るディジタルスチルカメラにおいて実行されるモノクローム出力画像処理条件生成処理の処理ルーチンを示すフローチャートである。図７はカラー画像データを解析して得られる色相についての統計値の一例を示す説明図である。図８は最大割合色相と、カラー画像データの特性を判定するために用いられる判定しきい値との対応関係の一例を示す説明図である。図９は最大割合色相とチャンネルミックス率とを対応付けるテーブルの一例を示す説明図である。図１０は撮影シーンとチャンネルミックス率とを対応付けるテーブルの一例を示す説明図である。図１１は本実施例に係るディジタルスチルカメラ１０によって生成または取得される、モノクローム出力画像処理条件を含む画像処理制御情報に含まれるパラメータの一例を示す説明図である。図１２は本実施例に係るディジタルスチルカメラ１０によって出力されるカラー画像データのデータ構造を概念的に示す説明図である。
【００５７】
図５の処理ルーチンは、例えば、撮影者によってシャッターボタンが押し下げられると開始される。シャッターボタンが押し下げられると、カラー画像データ生成部１３は、ＣＣＤ等の光電変換素子を介して、カラー画像データＧＤ、例えばＲＧＢカラー画像データを生成する。
【００５８】
ＣＰＵ１１１は、撮影シーンが設定されているか否かを判定し（ステップＳ１１０）、撮影シーンが設定されていないと判定した場合には（ステップＳ１１０：Ｎｏ）、画像データＧＤの解析結果を利用してモノクローム出力画像処理条件を取得する（ステップＳ１２０）。
【００５９】
画像データＧＤの解析結果を用いたモノクローム出力画像処理条件の生成処理について図６を参照して詳述する。ＣＰＵ１１１は、生成された、例えば、ＲＧＢカラー画像データＧＤをＨＳＶカラー画像データに変換し、カラー画像データの色相について、図７に示すようなヒストグラムを生成する。ここで、ＨＳＶ色空間は、色相Ｈ、彩度Ｓ、輝度Ｖによってカラー画像データＧＤを表す色空間である。カラー画像データＧＤの色相Ｈは、この他にもＨＳＬ色空間へとカラー画像データＧＤを変換することによっても得ることができる。ＲＧＢカラー画像データＧＤをＨＳＶカラー画像データへと変換するにあたっては、以下の式（１）〜（３）が用いられる。
【００６０】
【数１】
2005295508.tif 000003
【００６１】
ここで、Ｖmax＝max{Ｒ,Ｇ,Ｂ}、Ｖmin＝min{Ｒ,Ｇ,Ｂ}である。Ｖmax＝Ｖminの場合には、色相は不定（無彩色）となる。また、色相Ｈ＜０の場合には、算出された色相Ｈに２πを加える。この結果、色相Ｈの値域は０〜２πとなるが、本実施例では、値域を０〜３６０度として色相Ｈを表す。
【００６２】
図７に示すヒストグラムにおいて、肌色に対応する色相範囲はＲfl、緑色に対応する色相範囲はＲgr、空色に対応する色相範囲はＲsk、赤色に対応する色相範囲はＲrdにてそれぞれ示されている。図７に例示するヒストグラムでは、空色の色相が高い頻度で現れており、生成されたカラー画像データＧＤが空を中心とする被写体に対応するものであることが推察できる。例えば、空色の色相角としては２１８°、緑色の色相角としては７５°、赤色の色相角としては０°、肌色の色相角としては２７°が用いられ得る。
【００６３】
ＣＰＵ１１１は、カラー画像を構成する全画素に対する特定の色相を示す画素数の割合を求め、その中で最も高い割合を示す特定の色相の割合を最大割合Ｈumaxに決定する（ステップＳ１２００）。すなわち、カラー画像データＧＤを構成する全画素データ数に対する、特定の色相の画素データ数の割合を求める。具体的には、各画素データは、Ｒ、Ｇ、Ｂ成分によって特定の色相を表しているので、各色相範囲に含まれる画素データ数をそれぞれ算出し、次の式（４）を用いて、全画素データ数に対する各色相範囲の割合Ｈurateを算出し、その中で最も大きな割合を示す色相の割合Ｈurateを最大割合Ｈumaxとする。
【００６４】
【数２】
2005295508.tif 000004
【００６５】
ＣＰＵ１１１は、図８に示す対応関係に従って、最大割合の色相に対応する判定しきい値Ｈurefを取得し（ステップＳ１２１０）、最大割合Ｈumaxが判定しきい値Ｈurefよりも大きいか否かを判定する（ステップＳ１２２０）。ＣＰＵ１１１は、最大割合Ｈumaxが判定しきい値Ｈurateより大きいと判定した場合には（ステップＳ１２２０：Ｙｅｓ）、最大割合の色相に対応するモノクローム出力画像処理条件を取得し（ステップＳ１２３０）、図６に示すフローチャートにリターンする。
【００６６】
モノクローム出力画像処理条件のうち、チャンネルミックス率を例にとって詳細に説明する。ＣＰＵ１１１は、ＲＯＭ１１３に格納されている、図９に示すテーブルを参照して、チャンネルミックス率（Ｒch、Ｇch、Ｂch）を取得する。本実施例では、特定の色相として、空色、緑色、肌色、赤色を用いるので、チャンネルミックス率（Ｒch、Ｇch、Ｂch）もまた、空色用チャンネルミックス率（Ｒsk、Ｇsk、Ｂsk）、緑色用チャンネルミックス率（Ｒgr、Ｇgr、Ｂgr）、肌色用チャンネルミックス率（Ｒfl、Ｇfl、Ｂfl）、赤色用チャンネルミックス率（Ｒrd、Ｇrd、Ｂrd）がそれぞれ用意されている。なお、この他にも、最大割合の色相に応じて、シャープネス、明度、コントラスト、ノイズ除去、カラーバランス等のモノクローム出力画像処理条件に関わるパラメータが適宜変更されても良い。
【００６７】
あるいは、テーブルに代えて、画像全体に補正対象（主要な被写体）が占める割合によって変更しても良い。例えば、空色の占める割合が高い場合には赤色フィルターの機能を実現するチャンネルミックス率を適用し、肌色の占める割合が高い場合には緑色フィルターの機能を実現するチャンネルミックス率を適用すればよい。
【００６８】
具体的には、風景画像であって、空の割合が高い場合には以下の式によってチャンネルミックス率を決定することができる。
Ｒch＝ｋ・(Ｓky-ave−Ｓky[Ｒ])
Ｇch＝ｋ・(Ｓky-ave−Ｓky[Ｇ])
Ｂch＝ｋ・(Ｓky-ave−Ｓky[Ｂ])
ここで、Ｓky-ave＝(Ｓky[Ｒ]＋Ｓky[Ｇ]＋Ｓky[Ｂ])／３、ｋは係数
【００６９】
すなわち、強調したい色域（画像における占有率の高い色域）のＲＧＢ値に基づいて、その色相に含まれる色彩値の明度が低く（暗く）なるようにチャンネルミックス率を算出すればよい。
【００７０】
一方、ＣＰＵ１１１は、最大割合Ｈumaxが判定しきい値Ｈurate以下であると判定した場合には（ステップＳ１２２０：Ｎｏ）、標準のモノクローム出力画像処理条件を取得し（ステップＳ１２４０）、図６に示すフローチャートにリターンする。
【００７１】
図５に戻り説明を続けると、ＣＰＵ１１１は、撮影シーンが設定されていると判定した場合には（ステップＳ１１０：Ｙｅｓ）、撮影シーンを利用してモノクローム出力画像処理条件を取得する（ステップＳ１３０）。モノクローム出力画像処理条件のうち、チャンネルミックス率を例にとって詳細に説明する。ＣＰＵ１１１は、ＲＯＭ１１３に格納されている、図１０に示すテーブルを参照して、設定されている撮影シーンに対応するチャンネルミックス率（Ｒch、Ｇch、Ｂch）を取得する。例えば、撮影シーンとして風景、ポートレイト、夕景が用意されている場合には、それぞれ緑色、肌色、赤色を中心とする画像であることから、風景用チャンネルミックス率（Ｒgr、Ｇgr、Ｂgr）、ポートレイト用チャンネルミックス率（Ｒfl、Ｇfl、Ｂfl）、夕景用チャンネルミックス率（Ｒrd、Ｇrd、Ｂrd）が用意されている。かかる場合にも、設定された撮影シーンに応じて、シャープネス、明度、コントラスト、ノイズ除去、カラーバランス等の他のモノクローム出力画像処理条件に関わるパラメータが適宜変更されても良い。
【００７２】
あるいは、撮影シーンと共に、カラー画像データＧＤを解析してチャンネルミックス率を含むモノクローム出力画像処理条件を取得しても良い。例えば、撮影シーンとして風景が設定されている場合には、空を中心とする撮影画像であることもあり、かかる場合には、緑を中心とするモノクローム出力画像処理条件では、見栄えの良いモノクローム出力画像を得られない場合がある。そこで、特に、撮影シーンが風景に設定されている場合には、生成されたカラー画像データＧＤの解析結果を踏まえて、緑色を中心とするモノクローム画像データとするか、空色を中心とするモノクローム画像データとするかを決定しても良い。
【００７３】
ＣＰＵ１１１は、モノクローム出力画像処理条件を取得すると、モノクローム出力画像処理条件を含む画像処理制御情報ＧＩを生成する（ステップＳ１４０）。例えば、図１１に示す、画像処理制御情報ＧＩが生成される。本実施例における画像処理制御情報ＧＩには、カラー画像データＧＤから見栄えの良いモノクローム出力画像を得るための画像処理条件であるモノクローム出力画像処理条件、カラー画像データＧＤからカラー出力画像を得る際に用いられる画像処理条件がそれぞれ含まれている。モノクローム出力画像処理条件には、既述の画質に関わるパラメータの値が記述されており、画像処理条件には、シャープネス、明度、カラーバランス、コントラスト、ノイズ除去、撮影モード（処理モード）といった画質に関わるパラメータの値が記述されている。画像処理条件は、プリンタ４０、パーソナルコンピュータ３０といった画像処理装置における、画像データの画像処理条件を指定する情報であり、撮像装置の画像データ生成特性と画像出力装置の画像出力特性とを考慮して、各組み合わせ毎に設定されていることが好ましい。
【００７４】
ＣＰＵ１１１は、モノクローム出力画像処理条件を生成または設定した後、生成されたカラー画像データＧＤに対して、例えば、ガンマ補正処理、ＲＧＢ−ＹＣｂＣｒ色変換処理、圧縮処理を含む画質調整処理を実行する（ステップＳ１５０）。この処理によって、生成されたＲＧＢカラー画像データは、例えば、Ｊｐｅｇフォーマットのカラー画像データに変換される。なお、ユーザによって要求された場合にモノクローム出力画像処理条件の生成または設定処理が実行される場合には、ステップＳ１００におけるカラー画像データＧＤの生成と共に、これら画質調整処理が実行されてもよい。
【００７５】
ＣＰＵ１１１は、生成した画像処理制御情報ＧＩとカラー画像データＧＤとを関連付けて、メモリカードＭＣに出力（記録）して（ステップＳ１６０）、本処理ルーチンを終了する。メモリカードＭＣ上に出力されるカラー画像データＧＤは、例えば、図１２に示すデータ構造を備えている。すなわち、カラー画像データＧＤのヘッダ部に画像処理制御情報ＧＩが記述されることによって、画像処理制御情報ＧＩとカラー画像データＧＤとが関連付けられる。また、画像処理制御情報ＧＩに加えて、撮影時における各種撮影条件が撮影情報ＳＩとして、カラー画像データＧＤのヘッダ部に記述されても良い。この他にも、カラー画像データＧＤと画像処理制御情報ＧＩとは、両者を関連付ける別体の関連付けファイルによって関連付けられても良い。なお、図１１、図１２において、各データ、情報の構造は、説明のために、例えば、メモリ上に格納されているデータ、情報を概念的に示している。
【００７６】
図１３を参照してカラープリンタ４０が備える制御回路４１によって実現されるモジュールの概略について説明する。図１３は本実施例に係るカラープリンタ４０が備える制御回路４１によって実現される機能モジュールのブロック図である。なお、図１３に示す各モジュールは、ＣＰＵ単独で、あるいは制御回路４１として実現され、また、ハードウェア、ソフトウェアのいずれによっても実現され得る。また、以下に説明する機能モジュールは、表示装置２０、パーソナルコンピュータ３０によっても同様に実現され得る。
【００７７】
カラープリンタ４０において、カラー画像データＧＤは、カラー画像データ取得モジュールＭ１によって制御回路４１に取得され、画像データ変換モジュールＭ５に送られる。
【００７８】
一方、撮影情報ＳＩに含まれる撮像場面情報、例えば、ポートレイト、風景、夕景といった撮影シーンは、撮像場面情報取得モジュールＭ２によって取得される。また、画像処理制御情報ＧＩは、画像処理制御情報取得モジュールＭ３によって取得される。
【００７９】
モノクローム出力画像処理条件取得モジュールＭ４は、画像処理制御情報ＧＩを取得し、ＲＧＢチャンネルミックス率を含むモノクローム出力画像処理条件を検索、取得できた場合には、取得したモノクローム出力画像処理条件を画像データ変換モジュールＭ５に送出する。一方、画像処理制御情報ＧＩを取得できなかった場合、画像処理制御情報ＧＩからモノクローム出力画像処理条件を取得できなかった場合には、モノクローム出力画像処理条件取得モジュールＭ４は、撮像場面に対応するモノクローム出力画像処理条件を記憶装置から取得し、画像データ変換モジュールＭ５に送出する。さらに、撮像場面情報を取得することもできなかった場合には、モノクローム出力画像処理条件取得モジュールＭ４は、取得したカラー画像データＧＤを解析し得られた色相等の情報を用いて、取得したカラー画像データＧＤに適したモノクローム出力画像処理条件を設定し、画像データ変換モジュールＭ５に送出する。
【００８０】
画像データ変換モジュールＭ５は、取得または設定されたモノクローム出力画像処理条件のうち、ＲＧＢチャンネルミックス率を用いてカラー画像データＧＤをモノクローム画像データに変換し、画質調整モジュールＭ６に送出する。画質調整モジュールＭ６は、シャープネス、コントラストといった他のモノクローム出力画像処理条件にしたがって、変換により得られたモノクローム画像データに対する画質調整を実行し、調整を終えたモノクローム画像データを画像出力モジュールＭ７に送出する。
【００８１】
画像出力モジュールＭ７は、受け取ったモノクローム画像データを用いて、モノクローム出力画像を出力する。
【００８２】
図１４を参照して、本実施例に係る画像処理装置としてのカラープリンタ４０において実行される、モノクローム画像データ化処理を含む画像処理について説明する。図１４は本実施例に係るカラープリンタにおいて実行されるモノクローム画像データ化処理を含む画像処理の処理ルーチンを示すフローチャートである。
【００８３】
本実施例において実行される画像処理は、例えば、カラープリンタ４０上でモノクローム画像出力が選択された上で、カラープリンタ４０のメモリスロット４４にメモリカードＭＣが差し込まれたとき、あるいは、ケーブルＣＶを介してカラープリンタ４０にディジタルスチルカメラ１０が接続されたときに開始される。あるいは、カラープリンタ４０のメモリスロット４４にメモリカードＭＣが差し込まれ、あるいは、ケーブルＣＶを介してカラープリンタ４０にディジタルスチルカメラ１０が接続された後に、カラープリンタ４０上でカラー画像出力に代えてモノクローム画像出力が選択されると開始される。すなわち、ユーザによってカラー画像、モノクローム画像のいずれかの出力が選択されても良い。
【００８４】
制御回路４１（ＣＰＵ４１１）は、画像処理を開始すると、選択されたカラー画像データＧＤを取得してＲＡＭ４１２に一時的に格納する（ステップＳ２００）。一般的に、ディジタルスチルカメラ１０において生成されたカラー画像データＧＤは、ＹＣｂＣｒデータであるため、ＣＰＵ４１１は、選択されたカラー画像データＧＤが開かれるとＹＣｂＣｒデータをＲＧＢデータへと変換する。カラー画像データＧＤの選択は、例えば、カラープリンタ４０と有線または無線にて接続されているディジタルスチルカメラ１０上において行われていても良く、あるいは、カラープリンタ４０上において、メモリカードＭＣに格納されている画像データＧＤの中から選択されても良い。さらには、ネットワークを介してサーバ上に格納されている複数のカラー画像データＧＤから選択されても良い。
【００８５】
ＣＰＵ４１１は、選択されたカラー画像データＧＤに関連付けられた画像処理制御情報ＧＩを検索し（ステップＳ２１０）、モノクローム出力画像処理条件を検索する（ステップＳ２２０）。具体的には、ＣＰＵ４１１は、カラー画像データＧＤのヘッダ部を検索し、あるいは、画像データＧＤに関連付けられている別ファイル形式の画像処理制御情報ＧＩをメモリカードＭＣ上、ネットワーク上において検索し、モノクローム出力画像処理条件が記述されているか否かを判定する。ＣＰＵ４１１は、画像処理制御情報ＧＩにおいてモノクローム出力画像処理条件を発見（検索）できた場合には（ステップＳ２２０：Ｙｅｓ）、モノクローム出力画像処理条件を取得する（ステップＳ２３０）。モノクローム出力画像処理条件は、図１１に示すように、カラー画像データＧＤをモノクローム化するためのＲＧＢチャンネルミックス率、モノクローム化された画像データの見栄えをさらに向上させるためのシャープネス、コントラスト、明度、ノイズ除去といった他の画質に関わるパラメータを規定している。
【００８６】
一方、ＣＰＵ４１１は、モノクローム出力画像処理条件を発見（検索）できなかった場合には（ステップＳ２２０：Ｎｏ）、撮影シーン情報を検索する（ステップＳ２３０）。具体的には、カラー画像データＧＤのヘッダ部に格納されている画像処理制御情報ＧＩまたは撮影情報ＳＩ、または、カラー画像データＧＤに関連付けられている別ファイル形式の画像処理制御情報ＧＩまたは撮影情報ＳＩから検索される。
【００８７】
ＣＰＵ４１１は、撮影シーン情報を検索（発見）することができた場合には（ステップＳ２４０：Ｙｅｓ）、撮影シーン情報を利用してモノクローム出力画像処理条件を取得する（ステップＳ２５０）。具体的には、図１０に示すような、撮影シーンとチャンネルミックス率を対応付けるテーブル、撮影シーンとシャープネス、コントラスト、明度、ノイズ除去といった他の画質に関わるパラメータを対応付けるテーブルを参照して、モノクローム出力画像処理条件が取得される。なお、これら各テーブルは、ＲＯＭまたはＨＤＤ４１３といった記憶装置に格納されている。
【００８８】
ＣＰＵ４１１は、撮影シーン情報を発見することができない場合には（ステップＳ２４０：Ｎｏ）、取得したカラー画像データＧＤを解析して、モノクローム出力画像処理条件を決定する（ステップＳ２６０）。具体的には、ディジタルスチルカメラ１０におけるモノクローム出力画像処理条件生成処理における説明と同様にして実行される。
【００８９】
ＣＰＵ４１１は、モノクローム出力画像処理条件を取得すると、取得したカラー画像データＧＤをモノクローム画像データ化するモノクローム画像化処理を実行する（ステップＳ２７０）。具体的には、取得したチャンネルミックス率を以下の式（５）に適用して、ＲＧＢカラー画像データＧＤにおける各画素データ（Ｒ，Ｇ，Ｂ）を輝度Ｙのみからなる画素データへと変換し、カラー画像データＧＤをモノクローム画像データに変換する。
【００９０】
【数３】
2005295508.tif 000005
【００９１】
この結果、ＲＧＢカラー画像データＧＤの各画素データは輝度Ｙのみを有する画度データとして表され、モノクローム化される。ＣＰＵ４１１は、さらに、モノクローム化した画像データに対して、他のモノクローム出力画像処理条件を適用して、モノクローム画像データの画質を調整する。以下に他のモノクローム出力画像処理条件の適用例を示す。
【００９２】
（１）コントラスト補正：
風景を撮影した場合：コントラスト強
ポートレートを撮影した場合：コントラスト補正なし、もしくはやや弱く
（２）シャープネス補正：
風景を撮影した場合：シャープネス強
ポートレートを撮影した場合：シャープネス補正なし、もしくはやや弱く（ぼかし）
（３）カラーバランス補正：
セピア調にしたい場合：Ｒ：＋２５、Ｇ：０、Ｂ：−２５
温黒調にしたい場合： Ｒ：＋４、Ｇ：−１、Ｂ：−３
冷黒調にしたい場合： Ｒ：−６、Ｇ：０、Ｂ：＋６
【００９３】
これらパラメータを調整することによって、カラー画像データの場合に得られるのと同様の画質調整の効果を得ることができる。したがって、さらにモノクローム画像の見栄えを向上させることができる。
【００９４】
ＣＰＵ４１１は、調整されたモノクローム画像データを用いて出力用（印刷用）モノクローム画像データを生成し、印刷画像出力部４３を介してモノクローム画像を出力して本処理ルーチンを終了する（ステップＳ２７０）。
【００９５】
以上説明したように、本実施例に係るカラー画像データ生成装置としてのディジタルスチルカメラ１０によれば、生成したカラー画像データＧＤの特性に応じてカラー画像データＧＤをモノクローム画像データへ変換する際のモノクローム出力画像処理条件を生成または取得することができる。したがって、撮影シーン等の撮影条件、個々のカラー画像データＧＤの画質特性に適合したモノクローム出力画像処理条件を生成または設定することができる。すなわち、カラー画像データ生成装置において強調したい色域を強調したモノクローム画像データを得るためのモノクローム出力画像処理条件を生成または設定することができる。
【００９６】
また、生成または設定されたモノクローム出力画像処理条件を、生成されたカラー画像データＧＤに関連付けることができるので、画像処理装置において、簡易且つ迅速にカラー画像データＧＤをモノクローム画像データに変換することができる。
【００９７】
本実施例に係る画像処理装置としてのカラープリンタ４０によれば、カラー画像データＧＤに関連付けられたモノクローム出力画像処理条件を用いて、カラー画像データＧＤをモノクローム画像データに変換することができる。したがって、カラー画像データＧＤを用いて、ディジタルスチルカメラ１０等のカラー画像データ生成装置において意図された色域を強調した見栄えのよいモノクローム画像を出力することができる。
【００９８】
また、カラー画像データＧＤにモノクローム出力画像処理条件が関連付けられていない場合には、カラー画像データＧＤに関連付けられている撮影シーン情報からモノクローム出力画像処理条件を取得し、カラー画像データをモノクローム画像データに変換することができる。撮影シーン情報は、多くのカラー画像データに関連付けられているので、より多くのカラー画像データに対して、モノクローム出力画像処理条件を用いたモノクローム化処理を実行し、見栄えの良いモノクローム画像を出力することができる。さらに、カラー画像データＧＤに撮影シーン情報が関連付けられていない場合には、カラー画像データＧＤを解析にてモノクローム出力画像処理条件を生成することができるので、カラー画像データＧＤを用いた見栄えの良いモノクローム画像の出力をより確実なものとすることができる。
【００９９】
・その他の実施例：
上記実施例では、カラー画像データ生成装置としてディジタルスチルカメラ１０が用いられているが、この他にもスキャナ等の撮像装置が用いられても良い。かかる場合にも、上記実施例と同様の効果を得ることができる。
【０１００】
上記実施例ではＲＧＢ色空間を用いたカラー画像のモノクローム化処理について説明しているが、この他にも、例えば、ＨＳＢ、Ｌａｂ、Ｌｕｖ、ＹＣｂＣｒの各色空間において、チャンネルミックス率を変更することによって、カラー画像をモノクローム化しても良い。
【０１０１】
上記実施例では、画像処理装置として、カラープリンタ４０が用いられているが、この他にも、表示装置２０、パーソナルコンピュータ３０が用いられても良い。かかる場合にも上記実施例と同等の効果を得ることができる。また、モノクローム画像データの最終的な出力形態が画面表示である場合には、画面表示に適したモノクローム出力画像処理条件が生成または設定される。
【０１０２】
上記実施例において、ディジタルスチルカメラ１０において実行されるカラー画像データ生成処理は、ハードウェア構成を伴うことなく、画像処理アプリケーション（プログラム）としても実現され得る。また、カラープリンタ４０において実行される画像処理は、ハードウェア構成を伴うことなく、プリンタドライバ、画像処理アプリケーション（プログラム）としても実現され得る。
【０１０３】
上記実施例では、カラー画像データ生成処理、画像処理がソフトウェア的に、すなわちコンピュータプログラムの態様にて実行されているが、上記各処理（ステップ）を実行する論理回路を備えた画像処理ハードウェア回路を用いて実行されてもよい。かかる場合には、ＣＰＵ１１１、４１１の負荷を軽減することができると共に、より高速な各処理を実現することができる。画像処理ハードウェア回路は、例えば、ディジタルスチルカメラ１０、表示装置２０およびカラープリンタ４０に対しては実装回路として、パーソナルコンピュータ３０に対してはアドオンカードとして実装され得る。
【０１０４】
以上、実施例に基づき本発明に係るカラー画像データ生成装置、画像処理装置、カラー画像データ生成方法、画像処理方法、カラー画像データ生成処理プログラムおよび画像処理プログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【０１０５】
【図１】本実施例に係る画像データ生成装置および画像処理装置を含む画像処理システムの概略構成を示す説明図である。
【図２】本実施例に係る画像データ生成装置の概略構成を示す説明図である。
【図３】本実施例に係る画像処理装置の概略構成を示す説明図である。
【図４】本実施例に係るディジタルスチルカメラが備える制御回路によって実現される機能モジュールのブロック図である。
【図５】本実施例に係るディジタルスチルカメラにおいて実行されるカラー画像データ生成処理の全体処理ルーチンを示すフローチャートである。
【図６】本実施例に係るディジタルスチルカメラにおいて実行されるモノクローム出力画像処理条件生成処理の処理ルーチンを示すフローチャートである。
【図７】カラー画像データを解析して得られる色相についての統計値の一例を示す説明図である。
【図８】最大割合色相と、カラー画像データの特性を判定するために用いられる判定しきい値との対応関係の一例を示す説明図である。
【図９】最大割合色相とチャンネルミックス率とを対応付けるテーブルの一例を示す説明図である。
【図１０】撮影シーンとチャンネルミックス率とを対応付けるテーブルの一例を示す説明図である。
【図１１】本実施例に係るディジタルスチルカメラによって生成または取得される、モノクローム出力画像処理条件を含む画像処理制御情報に含まれるパラメータの一例を示す説明図である。
【図１２】本実施例に係るディジタルスチルカメラによって出力されるカラー画像データのデータ構造を概念的に示す説明図である。
【図１３】本実施例に係るカラープリンタが備える制御回路によって実現される機能モジュールのブロック図である。
【図１４】本実施例に係るカラープリンタにおいて実行されるモノクローム画像データ化処理を含む画像処理の処理ルーチンを示すフローチャートである。
【符号の説明】
【０１０６】
１０…ディジタルスチルカメラ
１１…制御回路
１１１…中央演算装置（ＣＰＵ）
１１２…ランダムアクセスメモリ（ＲＡＭ）
１１３…リードオンリメモリ（ＲＯＭ）
１２…入力操作部
１３…カラー画像データ生成部
１４…メモリカードスロット
１５…データ入出力部
２０…表示装置
２５…表示ディスプレイ
３０…パーソナルコンピュータ
３１…表示ディスプレイ
４０…カラープリンタ
４１…制御回路
４１１…中央演算装置（ＣＰＵ）
４１２…ランダムアクセスメモリ（ＲＡＭ）
４１３…ハードディスク（ＨＤＤ）／ＲＯＭ
４２…入力操作部
４３…印刷画像出力部
４４…メモリカードスロット
４５…データ入出力部
ＭＣ…メモリカード
ＧＤ…（カラー）画像データ
【図１】
2005295508.tif 000006
【図２】
2005295508.tif 000007
【図３】
2005295508.tif 000008
【図４】
2005295508.tif 000009
【図５】
2005295508.tif 000010
【図６】
2005295508.tif 000011
【図７】
2005295508.tif 000012
【図８】
2005295508.tif 000013
【図９】
2005295508.tif 000014
【図１０】
2005295508.tif 000015
【図１１】
2005295508.tif 000016
【図１２】
2005295508.tif 000017
【図１３】
2005295508.tif 000018
【図１４】
2005295508.tif 000019